(57)【要約】【課題】大気圧下における沸点が比較的低い、具体的には−２５〜１２０℃である有機物を含有する塩酸から、当該有機物を実質的に含有しない高純度の塩酸を製造する方法を提供する。【解決手段】大気圧下での沸点が−２５〜１２０℃である有機物を含有し、塩化水素濃度が大気圧下における共沸塩化水素濃度より高い第１の有機物含有塩酸から該有機物を除去する塩酸の精製方法であって、第１の有機物含有塩酸と水または希塩酸との混合により得られる塩化水素濃度が大気圧下における共沸塩化水素濃度未満である第２の有機物含有塩酸を、蒸留塔を用いて、大気圧下において蒸留することにより、蒸留塔の塔頂から該有機物を留出させる塩酸の精製方法である。【選択図】図１
2010132483.tif 000002
【特許請求の範囲】
【請求項１】
大気圧下での沸点が−２５〜１２０℃である有機物を含有し、塩化水素濃度が大気圧下における共沸塩化水素濃度より高い第１の有機物含有塩酸から前記有機物を除去する塩酸の精製方法であって、
前記第１の有機物含有塩酸と水または希塩酸との混合により得られる塩化水素濃度が大気圧下における共沸塩化水素濃度未満である第２の有機物含有塩酸を、蒸留塔を用いて、大気圧下において蒸留することにより、前記蒸留塔の塔頂から前記有機物を留出させる、塩酸の精製方法。
【請求項２】
前記第２の有機物含有塩酸の蒸留において、前記蒸留塔の塔頂から前記有機物を留出させるとともに、前記塔頂からの留出ガスを凝縮させ、得られる凝縮液の一部を塔頂に戻す還流が行なわれる請求項１に記載の塩酸の精製方法。
【請求項３】
前記第１の有機物含有塩酸と水または希塩酸とを混合することにより得られる塩化水素濃度が大気圧下における共沸塩化水素濃度未満である第２の有機物含有塩酸を、連続的に前記蒸留塔に導入する工程と、
前記蒸留塔に導入された前記第２の有機物含有塩酸を、大気圧下において蒸留することにより、前記蒸留塔の塔頂から前記有機物を留出させるとともに、前記蒸留塔の塔底から実質的に前記有機物を含まない塩酸を連続的に回収する工程と、
を備える請求項１または２に記載の塩酸の精製方法。
【請求項４】
前記第１の有機物含有塩酸を連続的に前記蒸留塔に導入するとともに、水を塔頂から連続的に前記蒸留塔に導入する工程と、
前記蒸留塔内で生成される前記第２の有機物含有塩酸を、大気圧下において蒸留することにより、前記蒸留塔の塔頂から前記有機物を留出させるとともに、前記蒸留塔の塔底から実質的に前記有機物を含まない塩酸を連続的に回収する工程と、
を備える請求項１または２に記載の塩酸の精製方法。
【請求項５】
前記有機物は、イソプロピルアルコール、２−クロロプロパン、アリルクロライドの少なくとも１つを含む請求項１〜４のいずれかに記載の塩酸の精製方法。
【発明の詳細な説明】
【技術分野】
【０００１】
本発明は、塩酸の精製方法に関し、より詳しくは、有機物を含有する塩酸から、該有機物を含まない高純度の塩酸を製造する方法に関する。
【背景技術】
【０００２】
クロル化合物を取り扱うプロセスでは、副生物等として塩酸が発生する。たとえば、プロピレンおよび塩素ガスからアリルクロライドを製造するプロセスにおいて副生する塩酸には、２−クロロプロパン（２ＣＰ）［ｂｐ＝３６℃］、アリルクロライド［ｂｐ＝２３℃］、イソプロピルアルコール（ＩＰＡ）［ｂｐ＝８２℃］等の、比較的沸点が低い有機不純物が含まれる。
【０００３】
また、アミンとホスゲンとの反応によりイソシアネートを得るプロセスにおいて副生する塩酸は、主に、溶媒として使用されるクロロベンゼン［ｂｐ＝１３１℃］、ジクロロベンゼン［ｂｐ＝１８０℃］等の、比較的沸点の高い有機不純物を含む。
【０００４】
上記のような副生塩酸を、他の合成プロセスの原料などとして有効利用するためには、副生塩酸に含まれる微量の有機不純物はできる限り除去されることが好ましい。たとえば、特許文献１には、塩化水素中の有機物を活性炭吸着により除去することが記載されている。
【特許文献１】特開２００３−１１２９０７号公報
【発明の開示】
【発明が解決しようとする課題】
【０００５】
しかしながら、活性炭吸着によっては、アリルクロライド製造プロセスで副生する塩酸のような、沸点が比較的低い有機不純物を含む塩酸から、当該有機不純物を除去された高純度の塩酸を得ることは困難であった。
【０００６】
そこで、本発明の目的は、大気圧下における沸点が比較的低い、具体的には−２５〜１２０℃である有機物を含有する塩酸から、当該有機物を実質的に含有しない高純度の塩酸を製造する方法を提供することである。
【課題を解決するための手段】
【０００７】
すなわち本発明は、大気圧下での沸点が−２５〜１２０℃である有機物を含有し、塩化水素濃度が大気圧下における共沸塩化水素濃度より高い第１の有機物含有塩酸から該有機物を除去する塩酸の精製方法であって、第１の有機物含有塩酸と水または希塩酸との混合により得られる塩化水素濃度が大気圧下における共沸塩化水素濃度未満である第２の有機物含有塩酸を、蒸留塔を用いて、大気圧下において蒸留することにより、蒸留塔の塔頂から該有機物を留出させる塩酸の精製方法を提供する。
【０００８】
上記の第２の有機物含有塩酸の蒸留においては、蒸留塔の塔頂から有機物を留出させるとともに、塔頂からの留出ガスを凝縮させ、得られる凝縮液の一部を塔頂に戻す還流が行なわれることが好ましい。
【０００９】
本発明の塩酸の精製方法は、１つの好ましい態様として、以下の工程を含む。
（ａ）第１の有機物含有塩酸と水または希塩酸とを混合することにより得られる塩化水素濃度が大気圧下における共沸塩化水素濃度未満である第２の有機物含有塩酸を、連続的に蒸留塔に導入する工程、および、
（ｂ）蒸留塔に導入された第２の有機物含有塩酸を、大気圧下において蒸留することにより、蒸留塔の塔頂から有機物を留出させるとともに、蒸留塔の塔底から実質的に有機物を含まない塩酸を連続的に回収する工程。
【００１０】
本発明の塩酸の精製方法は、別の好ましい態様として、以下の工程を含む。
（ｉ）第１の有機物含有塩酸を連続的に蒸留塔に導入するとともに、水を塔頂から連続的に蒸留塔に導入する工程、および、
（ｉｉ）蒸留塔内で生成される第２の有機物含有塩酸を、大気圧下において蒸留することにより、蒸留塔の塔頂から有機物を留出させるとともに、蒸留塔の塔底から実質的に前記有機物を含まない塩酸を連続的に回収する工程。
【００１１】
本発明の塩酸の精製方法により除去される有機物は、大気圧下での沸点が−２５〜１２０℃である有機物であり、その好適な例を挙げれば、イソプロピルアルコール、２−クロロプロパンおよびアリルクロライドなどである。
【発明の効果】
【００１２】
本発明によれば、大気圧下での沸点が−２５〜１２０℃である有機不純物を含有する塩酸、特には、該有機不純物を含有し、塩化水素濃度が大気圧下における共沸塩化水素濃度より高い塩酸から、該有機不純物を効果的に除去することができ、高純度の塩酸を得ることができる。
【００１３】
また、本発明の精製方法によれば、精製に供される有機物含有塩酸中に含まれる塩化水素の、精製処理によるロスを完全またはほぼ完全に抑えることができるため、精製に供される有機物含有塩酸中に含まれていた塩化水素の全量またはほぼ全量を含有する精製塩酸を得ることができる。
【発明を実施するための最良の形態】
【００１４】
本発明は、大気圧下での沸点が−２５〜１２０℃である有機物を含有し、塩化水素濃度が大気圧下における共沸塩化水素濃度より高い第１の有機物含有塩酸から該有機物を除去する塩酸の精製方法に関するものである。以下、実施の形態を示して本発明を詳細に説明する。
【００１５】
＜第１の実施形態＞
図１は、本発明の塩酸の精製方法の好ましい一例およびそれに用いられる装置の構成を模式的に示す図である。以下、図１を参照して、本実施形態の塩酸の精製方法の各工程について詳細に説明する。
【００１６】
（ａ）第１工程
本発明の精製方法に供される有機物を含有する塩酸は、大気圧下での沸点が−２５〜１２０℃である有機物を含有し、塩化水素濃度が大気圧下における共沸塩化水素濃度より高い第１の有機物含有塩酸である。本発明により除去可能な、大気圧下での沸点が−２５〜１２０℃である有機物としては、各種のものが挙げられるが、たとえば、イソプロピルアルコール（ＩＰＡ）［ｂｐ（１ａｔｍでの沸点、以下同様）＝８２℃］、２−クロロプロパン（２−ＣＰ）［ｂｐ＝３６℃］、アリルクロライド［ｂｐ＝２３℃］、四塩化炭素（ｂｐ＝７７℃）、ジクロロメタン（ｂｐ＝４０℃）、クロロメタン（ｂｐ＝−２４℃）、ジクロロエタン（ｂｐ＝５７℃）、塩化ビニルモノマー（ｂｐ＝−１４℃）などを挙げることができる。なかでも、本発明によれば、塩酸中のイソプロピルアルコール、２−クロロプロパン、アリルクロライドなどを効果的に除去することが可能である。第１の有機物含有塩酸に含まれる有機物は、１種のみであってもよく２種以上であってもよい。第１の有機物含有塩酸に含まれる有機物の濃度は、特に制限されないが、通常、第１の有機物含有塩酸中、１〜１００００質量ｐｐｍ程度であり、好ましくは１０〜１０００質量ｐｐｍ程度である。
【００１７】
第１の有機物含有塩酸としては、その塩化水素濃度［（塩化水素の質量）／（第１の有機物含有塩酸中に含まれる塩化水素および水の合計質量）×１００％］が、大気圧下における塩酸の共沸塩化水素濃度より高いものが用いられる。「大気圧下における共沸塩化水素濃度」とは、大気圧下での塩酸の共沸点組成における塩化水素の質量基準の濃度を意味する。塩酸の共沸塩化水素濃度と圧力との関係は、たとえば、ソーダハンドブック（１９９８年、日本ソーダ工業会発行）等に記載されており、「大気圧下における共沸塩化水素濃度」の具体的数値は、当該文献に記載のものを採用することができる。なお、１０１．３ｋＰａ（１ａｔｍ）における塩酸の共沸塩化水素濃度は２０．２質量％であり、共沸温度（共沸点）は１０８．７℃である。第１の有機物含有塩酸としては、特に制限されないが、たとえば、各種有機化合物製造プロセスで副生した有機物含有塩酸をそのまま用いることができるほか、該有機物含有塩酸に対して必要な処理（塩化水素濃度調整、前精製等）を施したものを用いることもできる。また、各種有機化合物製造プロセスで副生した有機物を含有する塩化水素ガスを、水または塩酸に吸収させることによって第１の有機物含有塩酸を得てもよい。
【００１８】
本工程においては、図１を参照して、上記の第１の有機物含有塩酸１と水２とを混合することにより、塩化水素濃度が大気圧下における共沸塩化水素濃度未満である第２の有機物含有塩酸を得、これを配管１０２を通して蒸留塔１０１に導入する。第１の有機物含有塩酸を希釈するための水の量は、特に制限されず、第２の有機物含有塩酸の塩化水素濃度が大気圧下における共沸塩化水素濃度未満となる量であればよい。また、第２の有機物含有塩酸の塩化水素濃度が大気圧下における共沸塩化水素濃度未満となる限り、第１の有機物含有塩酸を希釈するための水としては、水そのものに限定されず、たとえば希塩酸などを用いることもできる。
【００１９】
第２の有機物含有塩酸の塩化水素濃度は、大気圧下における共沸塩化水素濃度未満となる限り、特に限定されず、第１の有機物含有塩酸中の有機物の含有量にもよるが、精製処理によって最終的に得られる塩酸は、塩化水素濃度が高いほど利用の幅が広く付加価値が高くなることから、大気圧下における共沸塩化水素濃度により近い濃度であることが好ましい。具体的には、第２の有機物含有塩酸の塩化水素濃度は、好ましくは１５〜２０質量％以上程度であり、より好ましくは１８〜２０質量％程度である。
【００２０】
第２の有機物含有塩酸の蒸留塔１０１への導入方式は、次工程における第２の有機物含有塩酸の蒸留を回分式で行なうか、連続式で行なうかに応じて適宜選択される。後述するように、第２の有機物含有塩酸の蒸留は、連続式で行なうことが好ましく、この場合、第２の有機物含有塩酸の蒸留塔１０１への導入は連続的に行なわれる。第２の有機物含有塩酸の蒸留塔１０１における導入位置（配管１０２の蒸留塔１０１における位置）は、蒸留による有機物の分離効率および塔頂への塩酸の留出防止効率を考慮すると、蒸留塔１０１の高さ方向に関して中央部近傍であることが好ましい。
【００２１】
（ｂ）第２工程
本工程において、図１を参照して、蒸留塔１０１内に導入された第２の有機物含有塩酸を、大気圧下において加熱により蒸留することにより、蒸留塔１０１の塔頂から有機物を留出させて、第２の有機物含有塩酸の精製を行なう。このような操作により、実質的に有機物を含まない塩酸を得ることができる。有機物を実質的に含まない精製塩酸４は、蒸留塔１０１の塔底から回収される。また、有機物は、塔頂から有機物と水との混合物３として回収される（図１参照）。
【００２２】
本発明においては、蒸留の操作圧力は、大気圧（通常、−２０ｋＰａＧ〜２０ｋＰａＧ程度）とされる。蒸留の操作温度（蒸留塔の塔底の温度）は、操作圧力および第２の有機物含有塩酸の組成に依存するが、通常１０３〜１１４℃程度である。
【００２３】
蒸留塔の形式は、特に制限されず、充填塔、棚段塔などの一般的に用いられる蒸留塔を用いることができるが、構造が簡単なことから充填塔が好ましい。充填塔に充填する充填剤としては、たとえばラシヒリング、ポールリング、テラレット（登録商標）等、既存のものを用いることができる。塔頂からの塩酸の留出をより効率的に抑制、防止するためには、図１に示されるように、蒸留塔１０１の塔頂に配管１０３、熱交換器（凝縮器）１０４および配管１０５からなる濃縮部を設け、塔頂から留出するガスを凝縮させ、得られる凝縮液の一部を塔頂に戻す還流操作を行なうことが好ましい。また、図１に示されるように、蒸留塔１０１の塔底に配管１０６、熱交換器（再沸器）１０７および配管１０８を設け、塔底からの抜き出し液の一部を蒸留塔１０１の塔底に戻す操作を行なうと、精製塩酸中の有機物濃度をより低減させることができる。
【００２４】
第２の有機物含有塩酸の蒸留は、連続式で行なうことも、回分式で行なうことも可能であるが、連続式で行なうことが好ましい。回分式で行なう場合、第２の有機物含有塩酸の初期塩化水素濃度が高い場合には、有機物の全量が除去される前に、蒸留途中の第２の有機物含有塩酸の塩化水素濃度が大気圧下における共沸塩化水素濃度に到達し、これにより、塔頂から回収される有機物と水との混合物に塩化水素が混入することがある。連続式で蒸留を行なう場合、第２の有機物含有塩酸を連続的に蒸留塔内に導入するとともに、塔頂から有機物と水との混合物を、塔底から精製塩酸を連続的に回収することとなるため、蒸留塔内の第２の有機物含有塩酸の塩化水素濃度を定常に保つことができる。
【００２５】
＜第２の実施形態＞
図２は、本発明の塩酸の精製方法の別の好ましい一例およびそれに用いられる装置の構成を模式的に示す図である。以下、図２を参照して、本実施形態の塩酸の精製方法の各工程について詳細に説明する。
【００２６】
（ｉ）第１工程
本工程は、第１の有機物含有塩酸を蒸留塔に導入するとともに、水を塔頂から蒸留塔に導入する工程である。本実施形態の精製方法に供される第１の有機物含有塩酸は、上記第１の実施形態において説明したものと同様である。
【００２７】
本実施形態においては、図２に示されるように、上記第１の実施形態と異なり、第１の有機物含有塩酸１’と水２’とをあらかじめ混合することなく、それぞれ配管２０２、２０３を通して、別々に蒸留塔２０１に導入する。蒸留塔内に導入される水は、第１の実施形態の場合と同様に、水そのものであってもよいし、蒸留塔内で生成される第２の有機物含有塩酸の塩化水素濃度が大気圧下における共沸塩化水素濃度未満となる限りにおいて希塩酸などであってもよい。蒸留塔内に導入される水（または塩酸）の量も、特に制限されず、蒸留塔内で生成される第２の有機物含有塩酸の塩化水素濃度が大気圧下における共沸塩化水素濃度未満となる量であればよい。蒸留塔内で生成される第２の有機物含有塩酸の塩化水素濃度については、上記第１の実施形態と同様である。
【００２８】
ここで、本実施形態において水（または塩酸）は、蒸留塔内に塔頂から導入されることが好ましい。これにより、上記第１の実施形態で説明した還流操作を行なうことなく、還流と同様の効果を得ることができる。第１の有機物含有塩酸の導入位置は、蒸留による有機物の分離効率および塔頂への塩酸の留出防止効率を考慮すると、蒸留塔２０１の高さ方向に関して中央部近傍であることが好ましい。
【００２９】
（ｉｉ）第２工程
本工程において、図２を参照して、蒸留塔２０１内に導入された第１の有機物含有塩酸１’および水２’から生成した第２の有機物含有塩酸を、大気圧下において加熱により蒸留することにより、蒸留塔２０１の塔頂から有機物を留出させて、実質的に有機物を含まない塩酸を得る。有機物を実質的に含まない精製塩酸４’は、蒸留塔２０１の塔底から回収される。また、有機物は、塔頂から有機物と水との混合物３’として回収される（図２参照）。蒸留の操作圧力、操作温度および蒸留塔の形式については第１の実施形態と同様である。
【００３０】
図２に示されるように、精製塩酸中の有機物濃度をより低減させることを目的として、蒸留塔２０１の塔底に配管２０６、熱交換器（再沸器）２０７および配管２０８を設け、塔底からの抜き出し液の一部を蒸留塔２０１の塔底に戻す操作を行なってもよい。また、第１の実施形態と同様に、蒸留塔の塔頂に濃縮部を設け、還流操作を行なってもよいが、水を塔頂部から導入する場合には、還流操作は必要でないことが多い。なお、水の導入を塔頂部以外から行なう場合には、還流操作を行なうことが好ましい。
【００３１】
蒸留は、連続式で行なうことも、回分式で行なうことも可能であるが、連続式で行なうことが好ましい。連続式で蒸留を行なう場合、第１の有機物含有塩酸および水を連続的に蒸留塔内に導入するとともに、塔頂から有機物と水との混合物を、塔底から精製塩酸を連続的に回収することとなるため、蒸留塔内で生成される第２の有機物含有塩酸の塩化水素濃度を定常に保つことができる。
【００３２】
本発明の方法により得られる精製塩酸は、実質的に有機物を含まない（たとえば０．１質量ｐｐｍ程度以下）高純度の塩酸である。また、本発明の方法によれば、蒸留時、塔頂から塩化水素がほとんど留出しないため、得られる精製塩酸は、蒸留塔内に導入した第２の有機物含有塩酸に含まれる塩化水素の全量またはほぼ全量を含むものであり、したがって、塩化水素の精製処理によるロスを完全またはほぼ完全に抑えることができる。
【００３３】
本発明の方法により得られる精製塩酸は、有機物を実質的に含まない高純度の塩酸であることから、塩酸酸化プロセス等の化合物合成プロセスにおける原料などのほか、食品添加物用塩酸などとしても好適に使用することができる。また、アルカリ性廃水の中和用塩酸として使用した場合には、有機物を実質的に含まないことから、生成した中和水を廃水として放流可能である。
【００３４】
以下、実施例を挙げて本発明をより詳細に説明するが、本発明はこれらに限定されるものではない。
【００３５】
＜実施例１＞
図３は、本発明に従い、イソプロピルアルコール（ＩＰＡ）を含有する有機物含有塩酸から、ＩＰＡを実質的に含まない高純度の塩酸を得るプロセスの一例を模式的に示すフロー図である。図３には、蒸留等の条件ならびに、塩化水素およびＩＰＡの物質収支を示している。以下、図３を参照して、本実施例を説明する。
【００３６】
図３に示されるように、トータルの理論段数が１６段であり、塔頂に凝縮器（凝縮器からの戻り配管は１段目）、塔底に再沸器を有する蒸留塔（充填塔）に、蒸留塔の４段目から、ＩＰＡを含有する塩酸と水とを混合して得られる有機物含有塩酸（塩化水素濃度：１９．０質量％、ＩＰＡ濃度：２３質量ｐｐｍ）を、連続的に供給する（塩化水素ガスの流量：２５０ｋｇ／ｈ、水の流量：１０６５ｋｇ／ｈ、ＩＰＡの流量：０．０３ｋｇ／ｈ）。蒸留塔内に導入された有機物含有塩酸は、操作温度（塔底温度）１０９℃、操作圧力０ＭＰａＧ（ゲージ圧）の条件にて蒸留され、塔頂よりＩＰＡと水との混合物（水の流量：２０ｋｇ／ｈ、ＩＰＡの流量：０．０３ｋｇ／ｈ、塩化水素の流量：０ｋｇ／ｈ）を連続的に回収するとともに、塔底よりＩＰＡを含まない精製塩酸（塩化水素の流量：２５０ｋｇ／ｈ、水の流量：１０４５ｋｇ／ｈ、ＩＰＡの流量：０．００ｋｇ／ｈ）を連続的に回収する（精製塩酸の塩化水素濃度１９．３質量％）。この際、凝縮器での除熱量は８２ｋＷ、再沸器の加熱量は９３ｋＷである。
【００３７】
＜実施例２＞
図４は、本発明に従い、イソプロピルアルコール（ＩＰＡ）を含有する有機物含有塩酸から、ＩＰＡを実質的に含まない高純度の塩酸を得るプロセスの別の一例を模式的に示すフロー図である。図４には、蒸留等の条件ならびに、塩化水素およびＩＰＡの物質収支を示している。以下、図４を参照して、本実施例を説明する。
【００３８】
図４に示されるように、トータルの理論段数が１６段であり、塔底に再沸器を有する蒸留塔（充填塔）に、蒸留塔の４段目から、ＩＰＡを含有する有機物含有塩酸（塩化水素濃度：２５．０質量％、ＩＰＡ濃度：３０質量ｐｐｍ）を連続的に供給するとともに（塩化水素ガスの流量：２５０ｋｇ／ｈ、水の流量：７５０ｋｇ／ｈ、ＩＰＡの流量：０．０３ｋｇ／ｈ）、蒸留塔の１段目から、水（流量：３５０ｋｇ／ｈ）を連続的に供給する。蒸留塔内に導入された有機物含有塩酸および水は、操作温度（塔底温度）１０９℃、操作圧力０ＭＰａＧ（ゲージ圧）の条件にて蒸留され、塔頂よりＩＰＡと水との混合物（水の流量：９７ｋｇ／ｈ、ＩＰＡの流量：０．０３ｋｇ／ｈ、塩化水素の流量：０ｋｇ／ｈ）を連続的に回収するとともに、塔底よりＩＰＡを含まない精製塩酸（塩化水素の流量：２５０ｋｇ／ｈ、水の流量：１００３ｋｇ／ｈ、ＩＰＡの流量：０．００ｋｇ／ｈ）を連続的に回収する（精製塩酸の塩化水素濃度１９．９質量％）。この際、再沸器での加熱量は７５ｋＷである。
【００３９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４０】
【図１】本発明の塩酸の精製方法の好ましい一例およびそれに用いられる装置の構成を模式的に示す図である。
【図２】本発明の塩酸の精製方法の別の好ましい一例およびそれに用いられる装置の構成を模式的に示す図である。
【図３】本発明に従い、イソプロピルアルコール（ＩＰＡ）を含有する有機物含有塩酸から、ＩＰＡを実質的に含まない高純度の塩酸を得るプロセスの一例を模式的に示すフロー図である。
【図４】本発明に従い、イソプロピルアルコール（ＩＰＡ）を含有する有機物含有塩酸から、ＩＰＡを実質的に含まない高純度の塩酸を得るプロセスの別の一例を模式的に示すフロー図である。
【符号の説明】
【００４１】
１，１’  第１の有機物含有塩酸、２，２’  水または希塩酸、３，３’  有機物と水との混合物、４，４’  精製塩酸、１０１，２０１  蒸留塔、１０２，１０３，１０５，１０６，１０８，２０２，２０３，２０６，２０８  配管、１０４  熱交換器（凝縮器）、１０７，２０７  熱交換器（再沸器）。
【図１】
2010132483.tif 000003
【図２】
2010132483.tif 000004
【図３】
2010132483.tif 000005
【図４】
2010132483.tif 000006